(57)【要約】【課題】塗布操作の簡易化を図る。【解決手段】湾曲して配列するまつ毛列に対応するように湾曲する環状凹凸構造体１２を環状凸部１２Ａ及び環状凹部１２Ｂを順次交互に配列するように構成し、まつ毛の目尻から目頭に至るまでのまつ毛列を構成するまつ毛を、隣合う環状凸部１２Ａからはずさないように挟み込んだ状態で環状凹凸構造体１２を移動させることにより、その間の環状凹部１２Ｂとにより形成させる塗布液空間に保持されている塗布液を、まつ毛列のまつ毛に対して同時に転写することができる、これにより一段と少ない塗布操作回数でまつ毛列のまつ毛に対する塗布液の塗布をなし得る液塗布具１を実現できる。【選択図】図１
2017051267.tif 000002
【特許請求の範囲】
【請求項１】
シャフトの把持部材から前方に突出する環状凹凸構造体を具え、
上記環状凹凸構造体は上記把持部材から前方に行くに従って環状凸部及び環状凹部を順次交互に配設した構成を有し、順次隣合う２枚の上記環状凸部と当該２枚の環状凸部間に形成されている上記環状凹部とにより囲まれた塗布液空間に塗布対象であるまつ毛列を構成するまつ毛を挟み込んだ状態で上記環状凹凸構造体を上記把持部材を回転するように動かすことによって上記２枚の環状凸部間から当該挟み込んだまつ毛をはずさない状態で移動させ、その結果上記塗布液空間に保持された塗布液を湾曲して配列する上記まつ毛列を構成する上記まつ毛に同時に転写する
ことを特徴とする液塗布具。
【請求項２】
シャフトの把持部から上方に湾曲しながら前方に突出する棒状の塗布具支持部材に直線状に延長する液塗布管体を挿通保持し、
上記液塗布管体は、外表面部に、前方に行くに従って交互に変形前環状凸部及び変形前環状凹部を配列することにより、上記塗布具支持部材に挿通したとき当該塗布具支持部材の湾曲の仮想中心点を中心として放射方向に向くように上記変形前環状凸部及び上記変形前環状凹部を変形させてなる環状凸部及び環状凹部を順次交互に配列してなる環状凹凸構造体を上記把持部の先端に形成し、
隣合う上記環状凸部と環状凹部とで形成される塗布液保持空所に塗布液の塗布対象であるまつ毛に挟み込んだ状態で当該まつ毛を上記塗布液保持空所をはずさないように上記環状凹凸構造体を回転させながら塗布操作することにより、上記塗布液を湾曲して配列する上記まつ毛列のまつ毛に同時に転写する
ことを特徴とする液塗布具。
【請求項３】
シャフトの把持部から上方に湾曲しながら前方に突出する液塗布具本体を有し、
上記液塗布具本体は、外表面に、前に行くに従って順次交互に環状凸部及び環状凹部を形成してなる環状凹凸構造体を形成し、
上記環状凸部及び上記環状凹部は、上記液塗布具本体の湾曲形状の仮想中心点を中心として放射方向に向くように順次上記液塗布具本体の外表面に配列され、
隣合う上記環状凸部と環状凹部とで形成される塗布液保持空所に塗布液の塗布対象であるまつ毛を挟み込んだ状態で当該まつ毛を上記塗布液保持空所をはずさないように上記環状凹凸構造体を回転させながら塗布操作することにより、上記塗布液を湾曲して配列する上記まつ毛列のまつ毛に同時に転写する
ことを特徴とする液塗布具。
【請求項４】
上記環状凹凸構造体は、円形凹部及びこれを取り囲む円形凸部と、上記円形凹部に連接するＶ字状凹部及びこれを取り囲みかつ上記円形凸部に連接するＶ字状凸部とを有する
ことを特徴とする請求項１ないし３のいずれかに記載の液塗布具。
【発明の詳細な説明】
【技術分野】
【０００１】
本発明は液塗布具に関し、特にマスカラ液をまつ毛に塗布する場合に適用して好適なものである。
【背景技術】
【０００２】
従来、まつ毛にマスカラ液を塗布する液塗布具として、ブラシ毛材を用いたもの、櫛構造部材を用いたもの、溝構造部材を用いたものなど多様なものが提案されている（特許文献１〜３参照）。
【先行技術文献】
【特許文献】
【０００３】
【特許文献１】実用新案登録第３１４６０３７号公報
【特許文献２】特開２００５−４６２４３号公報
【特許文献３】特開２００２−１２５７５３号公報
【発明の概要】
【発明が解決しようとする課題】
【０００４】
ところが、この種の液塗布具としては、まつ毛がまぶたに沿って湾曲しながら一列に生えていることや、目頭から目尻に至るまでのまつ毛の生え方には人によって多様性があることから、ユーザがあまり手間をかけずに好みに合わせた塗布の仕方ができるようにすることが望ましい。
【０００５】
本発明は以上の点を考慮してなされたもので、できるだけ少ない塗布操作回数でまつ毛全体にマスカラ液を塗布できるようにした液塗布具を提案しようとするものである。
【課題を解決するための手段】
【０００６】
かかる課題を解決するため本発明においては、シャフト２の把持部材２Ａから前方に突出する環状凹凸構造体１２を具え、環状凹凸構造体１２は把持部材２Ａから前方に行くに従って環状凸部１２Ａ及び環状凹部１２Ｂを順次交互に配設した構成を有し、順次隣合う２枚の環状凸部１２Ａと当該２枚の環状凸部１２Ａ間に形成されている環状凹部１２Ｂとにより囲まれた塗布液空間に塗布対象であるまつ毛列を構成するまつ毛１６を挟み込んだ状態で環状凹凸構造体１２を把持部材２Ａを回転するように動かすことによって２枚の環状凸部１２Ａ間から当該挟み込んだまつ毛１６をはずさない状態で移動させ、その結果塗布液空間に保持された塗布液を湾曲して配列するまつ毛列を構成するまつ毛１６に同時に転写するようにする。
【発明の効果】
【０００７】
本発明によれば、湾曲して配列するまつ毛列に対応するように湾曲する環状凹凸構造体を環状凸部及び環状凹部を順次交互に配列することにより、まつ毛の目尻から目頭に至るまでのまつ毛列を構成するまつ毛を、隣合う環状凸部からはずさないように挟み込んだ状態で環状凹凸構造体を移動させることにより、その間の環状凹部とにより形成される塗布液空間に保持されている塗布液を、まつ毛列のまつ毛に対して同時に転写することができ、これにより一段と少ない塗布操作回数でまつ毛列のまつ毛に対する塗布液の塗布をなし得る液塗布具を実現できる。
【図面の簡単な説明】
【０００８】
【図１】本発明の第１の実施の形態による液塗布具を示す側面図である。
【図２】図１の塗布具支持部材２Ｂを示す側面図である。
【図３】液塗布管体を示す側面図である。
【図４】図３の端縁断面構造を示す断面図である。
【図５】第１の実施の形態の環状凹凸構造体１２を示す略線図である。
【図６】（Ａ）〜（Ｃ）右側面部による転写動作の説明に供する略線図である。
【図７】（Ａ）〜（Ｃ）左側面部による転写動作の説明に供する略線図である。
【図８】第１の実施の形態の変形例を示す略線図である。
【図９】第２の実施の形態の液塗布具を示す側面図である。
【図１０】Ｂ−Ｂ断面構造を示す断面図である。
【図１１】他の実施の形態の液塗布具を示す側面図である。
【図１２】（Ａ）及び（Ｂ）さらに他の実施の形態の液塗布具を示す側面図である。
【図１３】（Ａ）及び（Ｂ）さらに他の実施の形態の液塗布具を示す側面図である。
【図１４】さらに他の実施の形態の液塗布具を示す側面図である。
【図１５】さらに他の実施の形態の液塗布具を示す側面図である。
【図１６】さらに他の実施の形態の液塗布具を示す側面図である。
【発明を実施するための形態】
【０００９】
以下図面について、本発明の一実施の形態を詳述する。
【００１０】
（１）第１の実施の形態  
図１において、１は全体として液塗布具を示し、シャフト２の把持部材２Ａの先端部分に塗布対象であるまつ毛にマスカラ液を塗布する手段として櫛歯部３が形成されている。
【００１１】
この実施の形態の場合、シャフト２には図２に示すように、ユーザが把持部材２Ａを手で持って櫛歯部３をユーザのまつ毛に塗布操作するために、把持部材２Ａの先端面から前方に突出するように断面円形の棒体でなる塗布具支持部材２Ｂが設けられている。
【００１２】
この実施の形態の場合、塗布具支持部材２Ｂは矢印ａで示す先端方向に対して矢印ｂで示す上方向に湾曲する円形仮想線上に中心線Ｌ１を有し、かくして塗布具支持部材２Ｂは仮想中心点Ｋ１から半径Ｒ１の仮想円線上に延長するようになされている。
【００１３】
塗布具支持部材２Ｂには、図３に示すような液塗布管体１１がその中心線Ｌ２上に形成された挿通孔１１Ａを挿通するように嵌め込まれている。
【００１４】
この実施の形態の場合、液塗布管体１１は合成樹脂材又はゴム材によって全体として半剛性を示すような可撓性を有し、これにより挿通孔１１Ａに棒状の塗布具支持部材２Ｂが嵌め込まれたとき、全体として当該塗布具支持部材２Ｂの中心線Ｌ１に沿うように湾曲する櫛歯部３を形成し、これにより液塗布管体１１の下端縁によって半径Ｒ２の下端縁３Ｂを形成すると共に、液塗布管体１１の上端縁によって半径Ｒ３の上端縁３Ａを形成する。
【００１５】
ここで、櫛歯部３の根元側端から先端側端までの長さは、ユーザのまつ毛の目尻から目頭までの長さに選定されていると共に、櫛歯部３の下端縁の仮想中心点Ｋ１から半径Ｒ２の湾曲は、まぶた上においてまつ毛列が湾曲するように生えている点に対応させるように選定されている。
【００１６】
液塗布管体１１は、その管表面において長手方向にほぼ１本のまつ毛の太さに相当する距離で等間隔を保って多数の環状凸部１２Ａを有する環状凹凸構造体１２を形成している。
【００１７】
環状凹凸構造体１２は、図４に示すように、挿通孔１１Ａを中心として、中心線Ｌ２方向に等間隔を維持しながら放射状に外方に突出する環状凸部１２Ａと、隣り合う環状凸部１２Ａの間の範囲において、環状凸部１２Ａの突出端より内側の位置に形成される環状凹部１２Ｂを形成する。
【００１８】
かくして液塗布管体１１は、その長手方向について、直線的に、所定の間隔を保って順次環状凸部１２Ａ及び環状凹部１２Ｂが隣り合うように形成してなる環状凹凸構造体１２を管表面上に構成する。
【００１９】
この実施の形態の場合、液塗布管体１１の環状凹凸構造体１２は、図４に示すように、断面円形状の挿通孔１１Ａを基準として、当該挿通孔１１Ａを取り囲むように円形凸部１２Ａ１及び円形凹部１２Ｂ１でなる凸部上端縁部及び凹部上端縁部を形成する。
【００２０】
これに加えて環状凹凸構造体１２は、円形凸部１２Ａ１及び円形凹部１２Ｂ１の下側に連設するように、ほぼＶ字形状に下方に少し縦長突出するＶ字状凸部１２Ａ２及びＶ字状凹部１２Ｂ２をそれぞれ凸部下端縁部及び凹部下端縁部として形成する。
【００２１】
これにより環状凹凸構造体１２は塗布具支持部材２Ｂの中心線Ｌ１の延長方向と直交する面内において、円形凸部１２Ａ１及び円形凹部１２Ｂ１から下方に縦長に延長するようにＶ字状凸部１２Ａ２及びＶ字状凹部１２Ｂ２を形成した構成をもつ。
【００２２】
これにより塗布対象であるまつ毛が環状凹凸構造体１２の各環状凸部１２Ａ及び環状凹部１２Ｂと触れ合った状態で、シャフト２が回転操作されたとき、環状凸部１２Ａ及び環状凹部１２Ｂの円形凸部１２Ａ１及び円形凹部１２Ｂ１は当該まつ毛に沿うように回転動作をするのに対して、Ｖ字状凸部１２Ａ２及びＶ字状凹部１２Ｂ２はまつ毛に対して押し付けるような押圧力を与えるような動作をするような構造になっている。
【００２３】
この実施の形態の場合、櫛歯部３を構成する環状凹凸構造体１２の各環状凸部１２Ａは、挿通孔中心線Ｌ１の方向について、厚みが凸部下端縁であるＶ字状凸部１２Ａ２から凸部上端縁である円形凸部１２Ａ１までほぼ同じ厚みをもつようになされており、これにより液塗布管体１１が塗布具支持部２Ｂに嵌め込まれて湾曲したとき、環状凸部１２Ａは、図５に示すように、仮想中心点Ｋ１（図１）を中心として等しい幅Ｄ１をもちながら放射状に配列することになるので、隣り合う環状凸部１２Ａ間の間隔Ｄ２が凸部下端縁を構成するＶ字状凸部１２Ａ２から凸部上端縁を形成する円形凸部１２Ａ１に至るまでの各位置について、少しずつ広がって行くような構成になる。
【００２４】
このことは、塗布対象であるまつ毛を環状凸部１２Ａ間に挟み込んで、凸部下端縁であるＶ字状凸部１２Ａ２側から円形凸部１２Ａ１の位置まで接触位置を移動させたとき、隣り合う環状凸部１２Ａ間に塗布対象であるまつ毛が塗布液と共に挟み込まれながら、無理なく、両側の環状凸部１２Ａによって押圧塗布されることになる。
【００２５】
ここで押圧塗布できる範囲は、環状凸部１２ＡのＶ字状凸部１２Ａ２の下端縁から円形凸部１２Ａ１の上端縁までの範囲で、図１に示すように半径Ｒ２及び半径Ｒ３の範囲になる。
【００２６】
そのうち、環状凹部１２ＢのＶ字状凹部１２Ｂ２の下端縁から円形凹部１２Ｂ１の上端縁までの距離は半径Ｒ４及びＲ５になる。
【００２７】
これに加えて、隣合う環状凸部１２Ａ間の間隔Ｄ２は、１本のまつ毛を挟み込むことができるような値に選定されている。
【００２８】
以上の構成において、ユーザは図６及び図７に示すように、目１４を保護するまぶた１５に生えているまつ毛１６に対して、櫛歯部３の右側面部（図１及び図５において紙面の裏側から見た側面）及び紙面側の左側面部に保持されているマスカラをそれぞれ塗布する場合の操作を示す。
【００２９】
右側面部（図６の場合）及び左側面部（図７の場合）におけるマスカラ液は、いずれの場合も櫛歯部３の表面を構成している環状凹凸構造体１２においてシャフト２から先端に至るまでに形成されている環状凸部１２Ａ及び環状凹部１２Ｂの配列により連続される凹凸構造により保持されている。
【００３０】
図５の実施の形態の場合、当該凹凸構造は、図４に示したように、円形凹部１２Ｂ１からＶ字状凹部１２Ｂ２を取り囲む円形凸部１２Ａ１からＶ字状凸部１２Ａ２までの空間が隣設する環状凸部１２Ａの対向面と環状凹部１２Ｂの外周面との間に形成され、当該空間にマスカラ液が保持されており、当該マスカラ液保持空間をまつ毛１６に対して押し当てるように転写するような操作をユーザが行う。
【００３１】
すなわち、環状凹凸構造体１２の右側面部により塗布する場合には、ユーザはまず図６（Ａ）に示すように、環状凸部１２Ａの隣合うＶ字状凸部１２Ａ２間にまつ毛１６を挟み込むような位置に櫛歯部３を構える。
【００３２】
この状態において、環状凹凸構造体１２の環状凸部１２Ａは円形凸部１２Ａ１からまつ毛１６側に向って突出しているＶ字状凸部１２Ａ２の部分をまつ毛１６の生え際に接触させる。
【００３３】
この状態に櫛歯部３を構えると、櫛歯部３の下端縁３Ｂがユーザのまぶた１５が上方に湾曲するような形状であることから、まぶた１５の目尻から目頭にまで生えているまつ毛１６の生え際に環状凸部１２ＡのＶ字状凸部１２Ａ２が一連のまつ毛列のうちの１本１本を間に挟み込むような位置に位置決めすることができる。
【００３４】
続いて、ユーザがシャフト２によって櫛歯部３をまつ毛列に押しつけて回転操作を開始すると、櫛歯部３の下端縁３Ｂを構成するＶ字状凸部１２Ａ２は一連のまつ毛列のうち対向するまつ毛１６を隣設する２枚のＶ字状凸部１２Ａ２間に挟み込んだ状態に設定される。
【００３５】
このとき環状凹凸構造体１２の環状凸部１２Ａ及び環状凹部１２Ｂ間に保持されているマスカラ液のうち、Ｖ字状凸部１２Ａ２とＶ字状凹部１２Ｂ２とで形成された塗布液保持空間にあるマスカラ液を対向するまつ毛１６の生え際に転写する状態になる。
【００３６】
ここで隣り合うＶ字状凸部１２Ａ２の間隔はほぼ１本のまつ毛の太さ程度に狭いので、当該塗布液保持空間に差し込まれたまつ毛１６に対してマスカラ液を押し付けるような押圧力が作用することによりマスカラ液はしっかりと転写される。
【００３７】
続いてユーザは、矢印ａ１１で示すようにまつ毛１６を隣接する環状凸部１２Ａ間からはずさないようにＶ字状凸部１２Ａ２間に挟み込んだ状態を維持しながら、櫛歯部３従って環状凹凸構造体１２を矢印Ａ１１で示すように半時計方向に回しながらその位置をまつ毛１６の生え際から中央部位方向に移動させることにより、図６（Ｂ）に示す位置にまでまつ毛１６に対して下側から上方に向けて塗布操作をする。
【００３８】
このとき櫛歯部３の環状凹凸構造体１２は、矢印ａ１２で示すように半時計方向に回転されながら矢印Ａ１２で示すようにまぶた１５の方向に持ち上げられることにより、環状凸部１２Ａのまつ毛１６に対する接触位置がＶ字状凸部１２Ａ２から円形凸部１２Ａ１の方向にずらされて行く。
【００３９】
このまつ毛１６に対する環状凹凸構造体１２のずらし動作は、隣り合うＶ字状凸部１２Ａ２間にまつ毛１６の生え際部分を挟み込んだ状態を維持しながらＶ字状凸部１２Ａに沿って円形凸部１２Ａ１の方向に移すと同時に、まつ毛１６に対する接触位置を生え際から中央部位に移すような態様に塗布動作を変えて行くので、当該接触位置が移されて行く間に、そこに保持されていたマスカラ液がまつ毛１６の生え際部位から引続き先端に向かう部位に転写されて行く。
【００４０】
やがて図６（Ｃ）に示すように、環状凹凸構造体１２のまつ毛１６に対する接触位置がその中央部位を通りすぎたとき、ユーザは好みに応じて矢印Ａ１３によって示すように、櫛歯部３をカールさせる方向に上方に持ち上げ方向を変更する。
【００４１】
このとき環状凹凸構造体１２の円形凸部１２Ａ１近傍の部分がまつ毛１６の中央部から先端側に接触しながらまつ毛１６をカール方向に曲げて行く。
【００４２】
この結果円形凸部１２Ａ１近傍の部分と円形凹部１２Ｂ１との間に保持されているマスカラ液がまつ毛１６の先端部位に転写されると共にまつ毛１６の先端をカールさせるような変形動作を与える。
【００４３】
かくして図６（Ａ）〜（Ｃ）の塗布操作をすることにより、櫛歯部３の環状凹凸構造体１２の右側面部分に保持されていたマスカラ液をまつ毛の生え際部位からカールする先端部位に至るまで転写できることになる。
【００４４】
かくするにつき、櫛歯部３の長さ方向における下端縁３Ｂがまつ毛の目尻から目頭に至るまでの湾曲形状に沿うように湾曲していることにより、目尻から目頭に至るまで、同時にマスカラ液の塗布操作を行うことができると共にまつ毛１６の先端のカール操作をも、櫛歯部３の右側面部を用いて、１回の塗布操作によって同時に行うことができる液塗布具１を実現できる。
【００４５】
図７において、櫛歯部３の左側面部による塗布操作について、図６との対応部分に同一符号を付して示す。
【００４６】
この場合ユーザは塗布開始時において、図７（Ａ）に示すように、櫛歯部３のＶ字状凸部１２Ａ２及びＶ字状凹部１２Ｂ２を、櫛歯部３の左側面部側からまつ毛の生え際に接触させる状態に櫛歯部３を構える。
【００４７】
このとき櫛歯部３の下端縁３Ｂを構成しているＶ字状凸部１２Ａ２及びＶ字状凹部１２Ｂ２のすべてが目尻から目頭までのまつ毛１６の生え際に接触する状態に設定され、従って目尻から目頭までのまつ毛１６の生え際の部位に対してＶ字状凸部１２Ａ２及びＶ字状凹部１２Ｂ２間に保持されているマスカラ液が転写される状態になる。
【００４８】
この状態においてユーザは櫛歯部３を矢印ａ２１で示すように、時計方向に回転させながら全体として矢印Ａ２１に示すように下方に移動させるような液塗布操作を行う。
【００４９】
その結果環状凸部１２Ａ及び環状凹部１２Ｂが、図７（Ｂ）に示すように、矢印ａ２２で示す半時計方向に引続き回転されることにより、環状凸部１２Ａ及び環状凹部１２Ｂのまつ毛１６に接触する部分がＶ字状凸部１２Ａ２及びＶ字状凹部１２Ｂ２から円形凸部１２Ａ１及び円形凹部１２Ｂ１で囲まれる塗布液保持空間の方向に移動して行く。
【００５０】
このときまつ毛１６の接触部位は生え際から離れて中間部位の方に移動して行く。
【００５１】
やがてユーザは図７（Ｃ）に示すように、環状凹凸構造体１２を矢印ａ２３のように時計方向に回転させながら櫛歯部３を矢印Ａ２３の方向にまつ毛１６に押し上げるように上方に移動させる塗布操作をする。
【００５２】
このとき環状凹凸構造体１２のＶ字状凸部１２Ａ２及びＶ字状凹部１２Ｂ２の部分がまつ毛１６の先端部位に接触することによりまつ毛１６の先端部に対するマスカラ液の転写動作をすると同時に櫛歯部３がまつ毛１６の先端部に押し付けられることによりまつ毛１６の先端部をカールさせるような動作をする。
【００５３】
図７（Ａ）〜図７（Ｃ）の塗布操作をすれば、櫛歯部３の左側面部に保持されているマスカラ液をまつ毛１６の生え際から先端部位までまつ毛１６をカールさせながら１回の塗布操作によって転写することができる。
【００５４】
かくするにつき図７の場合も、櫛歯部３の左側面部を構成する環状凸部１２Ａ及び環状凹部１２Ｂ間に挟み込んだまつ毛１６の生え際部位から先端部位まで、まつ毛１６を挟み込んだ状態をはずすことなく位置をずらせて行くことができることにより、マスカラ液の転写を左側面部についても１回の操作で確実に転写することができる。
【００５５】
かくして図６及び図７のような塗布操作をすることにより、ユーザは櫛歯部３の右側面部について１回の転写操作をし、これに加えて、又はこれとは別に左側面部について１回の転写操作をするだけで、目尻から目頭までの各まつ毛に対して１本ずつマスカラ液を転写できるような液塗布具１を実現し得る。
【００５６】
図８は第１の実施の形態の環状凹凸構造体１２の変形例を示すもので、図５との対応部分に同一符号を付して示す。
【００５７】
図５について上述した環状凹凸構造体１２においては、環状凸部１２Ａの厚みを櫛歯部３の下端部３Ｂから上端部３Ａまで等しい値をもたせるように構成したが、図８の場合はこれに代え、下端縁３Ｂ側から上端縁３Ａ側に行くまでの間に少しずつ厚みを大きくして行き、これにより隣り合う環状凸部１２Ａ間に形成される環状凹部１２Ｂの幅を全体としてほぼ同じ値をもつように構成されている。
【００５８】
図８の構成によれば、Ｖ字状凸部１２Ａ２及びＶ字状凹部１２Ｂ２から円形凸部１２Ａ１及び円形凹部１２Ｂ１までの塗布液保持空間に保持されているマスカラ液を塗布するにつき、互いに隣り合う環状凸部１２Ａの対向面とそれら間に挟まれる環状凹部１２Ｂ間に保持されたマスカラ液をまつ毛１６に転写するにつき、互いに対向する環状凸部１２Ａ間の間隔を櫛歯部３の下端縁３Ｂから上端縁３Ａまでほぼ均一の幅を維持するようにしたことにより、ユーザの塗布操作に基づくまつ毛１６への転写動作をほぼ一様にすることができるので、まつ毛１６に対するマスカラ液の塗布を一様にできるような効果を得ることができる。
【００５９】
（２）好適な数値例
上述の実施の形態における液塗布具１の各部の好適な数値例は塗布対象であるまつ毛の調査例に基づいて以下のように選定する。
【００６０】
図６及び図７において塗布対象であるまつ毛１６の生え際の長さは２３．０〜３２．０［ｍｍ］であると共に、上方への湾曲半径は１７．０〜２４．０［ｍｍＲ］であり、まつ毛の長さは２．０〜８．０［ｍｍ］であったことから、図１の櫛歯部３の下端縁３Ｂの半径Ｒ２を２５［ｍｍφ］としかつ上端縁３Ａの半径Ｒ３を３２．５［ｍｍＲ］とし、当該下端縁３Ｂの直線的長さを３０．０［ｍｍ］とする。
【００６１】
またまつ毛の本数は３７〜１２０本でありかつ隣り合う２本のまつ毛の角度は０．８〜３．０［°］であったことから、図５の環状凹凸構造体１２の環状凸部１２Ａの数を５９本とすると共に、環状凹凸構造体１２の仮想中心点Ｋ１を中心として根元から先端までの角範囲を９８［°］とし、隣り合う環状凸部１２Ａ間の転回角度を１．５４［°］とする。
【００６２】
この結果櫛歯部３の下端縁３Ｂにおいて隣り合う環状凸部１２Ａ間の距離を０．５［ｍｍ］とし、上端縁３Ａにおける環状凸部１２Ａの間隔を０．７８［ｍｍ］とし、環状凸部１２Ａの厚さを０．２５［ｍｍ］とする。
【００６３】
また、環状凹凸構造体１２の環状凸部１２Ａ及び環状凹部１２Ｂについて、図４において円形凸部１２Ａ１の上端からＶ字状凸部１２Ａ２の下端までの幅を櫛歯部３の塗布動作を１回の転写操作で済むように０．７［ｍｍ］とし、円形凸部１２Ａ１の横幅を櫛歯部３をマスカラ容器から引き出す際の使用塗布液量としごき液量を考えて４．５［ｍｍ］とする。
【００６４】
また環状凸部１２Ａについて、円形凸部１２Ａ１の横幅を４．５［ｍｍ］とし、外形半径を３．０［ｍｍＲ］とし、Ｖ字状凸部１２Ａ２の突出半径を０．７５［ｍｍＲ］、突出長さを１．５［ｍｍ］とする。
【００６５】
また環状凹部１２Ｂについて、円形凹部１２Ｂ１の外形寸法を２．５［ｍｍＲ］とすると共にＶ字状凹部１２Ｂ２の半径を０．５［ｍｍＲ］とする。
【００６６】
このように各部の数値を好適な値に選定した環状凹凸構造体１２を適用した櫛歯部３は、図６及び図７について上述したように目尻から目頭まで全体のまつ毛を右側面部又は左側面部を１回だけ転写操作することによりマスカラ液をカールさせながら塗布することができる。
【００６７】
（３）第２の実施の形態
図９は第２の実施の形態の液塗布具１Ａを示すもので、図１との対応部分に同一符号を付して示す。
【００６８】
図１の場合の櫛歯部３は、シャフト２から突出する塗布具支持部材２Ｂ（図２）に環状凹凸構造体１２を形成してなる液塗布管体１１（図１１）を嵌め込んだ構成となされているのに対して、図９の場合は、シャフト２からこれと一体に突出する縦長断面を有する液塗布部本体１３（図１０）に対して環状凹凸構造体１２を形成した構成を有する。
【００６９】
ここで液塗布部本体１３にはその延長方向（シャフト２から先端方向ａに突出する方向）に沿って、等間隔を保った位置に、その周面から外方に多数の環状凸部１２Ａを突出させることにより、隣合う環状凸部１２Ａ間の液塗布部本体１３の表面に多数の環状凹部１２Ｂを形成し、これによりシャフト２から前方に行くに従って凹凸構造が連続するような構成の環状凹凸構造体１２を有する櫛歯部３が形成される。
【００７０】
各環状凸部１２Ａは、図１０に示すように、上端縁に円形凸部１２Ａ１を形成すると共に、その両端縁から下方にＶ字状凸部１２Ａ２を形成する。
【００７１】
隣合う環状凸部１２Ａ間には、円形凸部１２Ａ１及びＶ字状凸部１２Ａ２とほぼ類似する外観断面形状を有する円形凹部１２Ｂ１及びこれと連接するＶ字状凹部１２Ｂ２を有する環状凹部１２Ｂが構成され、これにより隣合う環状凸部１２Ａの対向面と間に形成された環状凹部１２Ｂ間にマスカラ液を保持する塗布液保持空間が形成されている。
【００７２】
ここで、図９の櫛歯部３の環状凹凸構造体１２は、図１において、塗布具支持部材２Ｂ（図２）に液塗布管体１１を嵌め込むことにより当該塗布具支持部材２Ｂ上に湾曲した環状凹凸構造体１２を形成することにより得られた外観構造を型取りした金型を用いて射出成形して得たと同様の外観構造を有し、これにより図１の櫛歯部３の環状凹凸構造体１２を用いて行う液塗布動作条件と同じ液塗布動作条件で液塗布操作を行うことができる。
【００７３】
この実施の形態の場合も、環状凹凸構造体１２の環状凸部１２Ａは図５及び図８について上述したと全く同様に環状凹部１２Ｂが上端方向に行くに従って幅が広くなって行く構成又は幅がほぼ均一な実施の形態をもち得、これにより図６〜図７について上述したと同様にまつ毛１６に対して右側面部による塗布や左側面部による塗布を行うことができる。
【００７４】
かくするにつき、櫛歯部３の下端縁３Ｂがまつ毛１６の目尻から目頭までの配列に沿うように湾曲していることにより、上述の実施の形態の場合と全く同様にして目尻から目頭までの各まつ毛に対して１回の塗布操作によって環状凸部１２Ａ及び環状凹部１２Ｂに保持されたマスカラ液をまつ毛に塗布することができる。
【００７５】
従って液塗布具１Ａとして、図１〜図４の構成の動作原理と同一の動作原理によって、少ない部品点数の液塗布具１として実現することができる。
【００７６】
（４）他の実施の形態
（４−１）図１１は他の実施の形態を示すもので、図９との対応部分に同一符号を付して示す。
【００７７】
図１１の場合の液塗布具１Ａは図９の櫛歯部３の先端部材３Ｘに細部塗布部２１を形成している。
【００７８】
この細部塗布部２１は、先端部材３Ｘから前方に突出する芯線材２１Ａによって合成樹脂材料でなる毛材２１Ｂをねじり合わせることにより放射状に外方に突出させるように形成した毛材ブラシを設けたもので、当該細部塗布部２１は櫛歯部３によってまつ毛１６にマスカラ液を転写した後に、細部塗布部２１の毛材２１Ｂに保持されている塗布液によってまつ毛の目尻部分や、目頭部分や、下まつ毛に対する塗布液の塗布調整操作をすることができるようになされている。
【００７９】
（４−２）図１２はさらに他の実施の形態を示すもので、図９との対応部分に同一符号を付して示す。
【００８０】
この場合は、図１２（Ｂ）に示すように、櫛歯部３の環状凹凸構造体１２の上側部分を中央部分を隆起させるように削り落として天板部２２を形成し、当該天板部２２上に修正塗布部２３を形成する。
【００８１】
この修正塗布部２３は２本のステンレス線をねじり合わせた芯線部２３Ａによって毛材２３Ｂを保持させて形成した毛材ブラシを、この芯線部２３Ａを天板部２２上に固着することにより修正塗布部２３を櫛歯部３上に形成する。
【００８２】
この実施の形態の場合、櫛歯部３の下端部３Ｂ１について、環状凹凸構造体１２の環状凸部１２Ａの下端部が湾曲せずに前方向に直線的に配列するように並んでいる。
【００８３】
この実施の形態の場合、環状凹凸構造体１２の環状凸部１２Ａ及び環状凹部１２Ｂは、図１２（Ｂ）に示すように、天板部２２から下方にＵ字状凸部１２ＡＸ及びＵ字状凹部１２ＢＸが設けられており、ユーザは、図６（Ａ）〜（Ｃ）について上述したように右側面部による転写を行う際には、Ｕ字状凸部１２ＡＸ及びＵ字状凹部１２ＢＸのうちＵ字状突出面部分から右側面側部分の天板部２２までの平坦面部分までの凹凸部分に保持されているマスカラ液を使ってまつ毛に対する転写操作を行う。
【００８４】
また図７（Ａ）〜（Ｃ）について上述したように左側面部による転写を行う際には、Ｕ字状凸部１２ＡＸ及びＵ字状凹部１２ＢＸのうちＵ字状突出面部分から左側面側部分の天板部２２までの平坦面部分までの凹凸部分に保持されているマスカラ液を使ってまつ毛に対する転写操作を行う。
【００８５】
このときまぶたに生えているまつ毛列が湾曲していることに対応して、目尻から目頭に至るまでの各まつ毛がその生え際の位置に応じてＵ字状凸部１２ＡＸの右側面又は左側面が環状凹凸構造体１２の回転動作に従って右側面側又は左側面側に外方に傍出するように変化することにより当該側面を構成する隣合うＵ字状凸部１２ＡＸ間に目尻から目頭までのまつ毛がはずれることなくＵ字状凹部１２ＢＸに沿ってマスカラ液に接触して行く。
【００８６】
従ってこの実施の形態の場合も、櫛歯部３の側面部分を用いて、目尻から目頭までのまつ毛に対して、１回の塗布操作によって、まつ毛の生え際の部位から中間の部位を通って先端部位までマスカラ液の転写ができると共に、カールさせるような塗布操作を行うことができる。
【００８７】
かくして図１２の液塗布具１Ａは図９について上述したように目尻から目頭まで湾曲するように形成されたまつ毛に対して一度に液転写操作をすると共に、当該櫛歯部３の天板部２２上に形成された修正塗布部２３によってまつ毛１６に対する塗布操作の結果だまが生じたような場合には、修正塗布部２３の毛材２３Ｂによって修正操作をすることができる。
【００８８】
かくして環状凹凸構造体１２による塗布操作に対して簡便な修正手段を形成した液塗布具１Ａを得ることができる。
【００８９】
（４−３）図１３はさらに他の実施の形態を示すもので、図１２との対応部分に同一符号を付して示す。
【００９０】
図１２の場合は、櫛歯部３の環状凹凸構造体１２の上側部に設けた天板部２２上に修正塗布部２３を形成したが、図１３の場合は天板部２２の液塗布部本体１３の部分に掘込溝２２Ｃを形成し、当該掘込溝２２Ｃ内に修正塗布部２３を形成する芯線部２３Ａ及び毛材２３Ｂを設けるようにする。
【００９１】
かくするにつき、図１３の場合は、櫛歯部３の下端縁３Ｂは図９の第２の実施例の場合と同様にまつ毛列の湾曲に適合するように湾曲していることにより、まつ毛全体について生え際に接触できるような状態から、図６及び図７について上述したような右側面部又は左側面部によるマスカラ液の転写を一挙になし得る。
【００９２】
図１３の構成によれば、櫛歯部３の塗布動作の補助をする修正塗布部２３の構成を一段と簡易化して液塗布部本体１３に埋め込むことができるような構成の液塗布具１Ａを実現できる。
【００９３】
（４−４）図１４はさらに他の実施の形態を示すもので、図１１との対応部分に同一符号を付して示す。
【００９４】
図１４の場合は、図１１の構成に加えて、環状凹凸構造体１２の上側位置に修正塗布部３１を設ける。
【００９５】
この修正塗布部３１は櫛歯部３を構成する環状凹凸構造体１２の上側位置に、これを覆うように２本のステンレス線でなる芯線部３１Ａにより込まれた毛材３１Ｂによって修正用のマスカラ液を保持するようになされている。
【００９６】
図１４の液塗布具１Ａによれば、ユーザが櫛歯部３の環状凹凸構造体１２を用いてマスカラ液を塗布すべきまつ毛にマスカラ液を塗布したとき、まつ毛にマスカラ液のだまができていたとき、ユーザは修正塗布部３１に保持されているマスカラ液を用いて毛材３１Ｂによって当該だまを梳くような処理を実行できる。
【００９７】
かくして図１４の液塗布具１Ａによれば、櫛歯部３を構成する環状凹凸構造体１２の右側面部及び左側面部によってまつ毛の目尻から目頭までの塗布を行った結果、マスカラ液のだまが生じた部分について修正塗布部３１の毛材３１Ｂによって解消させるような修正処理をすることができ、この結果全体としてまつ毛に対して１回又は２回の塗布操作をするだけで実質上ユーザが簡便にまつ毛の塗布をすることができるような液塗布具１Ａを得ることができる。
【００９８】
（４−５）図１５はさらに他の実施の形態を示すもので、図９との対応部分に同一符号を付して示す。
【００９９】
図１５の場合は、櫛歯部３の下端縁３Ｂが図９の場合と同様に環状凹凸構造体１２の本来の構造から湾曲しているのに対して、環状凹凸構造体１２の上端縁３ＡＸは、湾曲させずに直線状に配列するようになされている。
【０１００】
図１５の構成において、ユーザは当該下端縁３Ｂを目尻から目頭までのまつ毛に接触させるように櫛歯部３を構えて図６及び図７について上述したと同様に右側面部又は左側面部に保持されたマスカラを一挙にまつ毛に転写させるような塗布操作を行うことができる。
【０１０１】
図１５の構成によれば、櫛歯部３の上端縁３ＡＸを平面配列形状にしたことにより、この分櫛歯部３の全体構成を簡易化すると共に、当該平坦部を用いて修正塗布操作など下端縁３Ｂを用いたまつ毛列の転写操作以外の塗布操作をなし得る液塗布具１Ａを実現できる。
【０１０２】
（４−６）図１６はさらに他の実施の形態を示すもので、図９との対応部分に同一符号を付して示す。
【０１０３】
図９の場合は櫛歯部３の上端縁３Ａ及び下端縁３Ｂがいずれも上方に突出するように湾曲しているのに対して、図１６の場合は櫛歯部３の上端縁３Ａは図９の場合と同様に上方に湾曲しているのに対して、下端部３Ｂ１は直線状に配列された構成を有する。
【０１０４】
図１６の液塗布具１Ａを用いて液塗布操作をするとき、ユーザは櫛歯部３の上端縁３Ａの湾曲を利用してまつ毛１６の目尻から目頭までのまつ毛の生え際に対応させるように構えて、図６及び図７について上述したようにまつ毛に環状凹凸構造体１２に保持したマスカラ液を塗布する。
【０１０５】
これに加えて図１６の場合は、ユーザは必要に応じて、図１２について上述したと同様に、櫛歯部３の直線状の下端部３Ｂ１を用いて、上端縁３Ａによって目尻から目頭まで転写したマスカラ液の修正を手軽に行うことができる。
【産業上の利用可能性】
【０１０６】
本発明はまつ毛にマスカラ液を塗布する場合に利用できる。
【符号の説明】
【０１０７】
１、１Ａ……液塗布具、２……シャフト、３……櫛歯部、３Ａ……上端縁、３Ｂ……下端縁、２Ａ……把持部材、２Ｂ……塗布具支持部材、１１……液塗布管体、１１Ａ……挿通孔、１２……環状凹凸構造体、１２Ａ……環状凸部、１２Ｂ……環状凹部、１２Ａ１……円形凸部、１２Ａ２……Ｖ字状凸部、１２Ｂ１……円形凹部、１２Ｂ２……Ｖ字状凹部、１４……目、１５……まぶた、１６……まつ毛、２２……天板部、２３……修正塗布部、２３Ａ……芯線部、２３Ｂ……毛材。
【図１】
2017051267.tif 000003
【図２】
2017051267.tif 000004
【図３】
2017051267.tif 000005
【図４】
2017051267.tif 000006
【図５】
2017051267.tif 000007
【図６】
2017051267.tif 000008
【図７】
2017051267.tif 000009
【図８】
2017051267.tif 000010
【図９】
2017051267.tif 000011
【図１０】
2017051267.tif 000012
【図１１】
2017051267.tif 000013
【図１２】
2017051267.tif 000014
【図１３】
2017051267.tif 000015
【図１４】
2017051267.tif 000016
【図１５】
2017051267.tif 000017
【図１６】
2017051267.tif 000018